(57)【特許請求の範囲】
【請求項１】
縦葺き屋根材とその左右方向に配される他の縦葺き屋根材とを、固定具と吊子を用いて屋根下地上に取り付けた屋根構造であって、
前記縦葺き屋根材と前記他の縦葺き屋根材のそれぞれは、
平板状の本体部と、
前記本体部の左右方向の一端部に連続し、上方に突出し下方に開口するように溝状に折れ曲がったカバー部と、
前記カバー部のうち前記本体部から離れた側の端部から前記本体部に向けて突出した被係止部とを備え、
前記被係止部は、前記被係止部の左右方向の中央部に位置し、上方に突出するように折れ曲がった引っ掛け部と、前記引っ掛け部の左右に位置する二つの下端とを有し、
前記カバー部は、前記屋根下地との間にスペースを形成し、
前記吊子は、
前記固定具が打ち込まれる固定部と、
前記固定部の左右方向の一端部から延長した係止部とを備え、
前記他の縦葺き屋根材は、前記他の縦葺き屋根材の前記本体部上に載せられた前記吊子の前記固定部と前記本体部とを貫通する前記固定具によって、前記屋根下地上に固定され、
前記縦葺き屋根材は、前記他の縦葺き屋根材上に固定された前記吊子が前記縦葺き屋根材の前記スペースに収まり、前記吊子の前記係止部に前記縦葺き屋根材の前記被係止部が係止されて、前記被係止部が前記係止部によって下方に押されて前記被係止部の前記二つの下端が前記他の縦葺き屋根材の前記本体部に当たる状態で、前記屋根下地上に取り付けられることを特徴とする屋根構造。
【請求項２】
前記屋根下地上には、瓦棒葺き屋根が設置され、
前記スペースは、前記吊子が収まる第一スペースと、前記第一スペースの側方に位置する第二スペースとを含み、
前記縦葺き屋根材は、前記第二スペースに前記瓦棒葺き屋根の瓦棒が収まる状態で、前記屋根下地上に取り付けられることを特徴とする請求項１に記載の屋根構造。
【請求項３】
縦葺き屋根材とその左右方向に配される他の屋根材とを、固定具で打ち付けられる吊子を用いて屋根下地上に取り付けた屋根構造であって、
前記屋根下地上には、前記縦葺き屋根材上に機能パネルを取り付けるための取付具が設置され、
前記縦葺き屋根材は、
板状の本体部と、
前記本体部の左右方向の一端部に連続し、上方に突出し下方に開口するように溝状に折れ曲がったカバー部と、
前記カバー部のうち前記本体部から離れた側の端部から前記本体部に向けて突出した被係止部とを備え、
前記カバー部は、前記屋根下地との間にスペースを形成し、
前記スペースは、前記吊子が収まる第一スペースと、前記第一スペースの側方に位置する第二スペースとを含み、
前記吊子は、
前記固定具で前記他の屋根材上に打ち付けられる固定部と、
前記固定部の左右方向の一端部から延長した係止部とを備え、
前記縦葺き屋根材は、前記他の屋根材上に固定された前記吊子が前記第一スペースに収まり、前記第二スペースに前記取付具が収まり、前記吊子の前記係止部に前記被係止部が係止される状態で、前記屋根下地上に取り付けられることを特徴とする屋根構造。
【請求項４】
縦葺き屋根材とその左右方向に配される他の縦葺き屋根材とを、固定具と吊子を用いて屋根下地上に取り付ける屋根の施工方法であって、
前記縦葺き屋根材と前記他の縦葺き屋根材のそれぞれは、
平板状の本体部と、
前記本体部の左右方向の一端部に連続し、上方に突出し下方に開口するように溝状に折れ曲がったカバー部と、
前記カバー部のうち前記本体部から離れた側の端部から前記本体部に向けて突出した被係止部とを備え、
前記被係止部は、前記被係止部の左右方向の中央部に位置し、上方に突出するように折れ曲がった引っ掛け部と、前記引っ掛け部の左右に位置する二つの下端とを有し、
前記カバー部は、前記屋根下地との間にスペースを形成し、
前記吊子は、
前記固定具が打ち込まれる固定部と、
前記固定部の左右方向の一端部から延長した係止部とを備え、
前記他の縦葺き屋根材の前記本体部上に設置した前記吊子の前記固定部に前記固定具を打ち込み、前記固定具を前記本体部に貫通させて前記屋根下地へ打ち付けることで、前記他の縦葺き屋根材を前記屋根下地上に固定し、
前記他の縦葺き屋根材上の前記吊子が前記縦葺き屋根材の前記スペースに収まり、前記吊子の前記係止部に前記縦葺き屋根材の前記被係止部が係止されて、前記被係止部が前記係止部によって下方に押されて前記被係止部の前記二つの下端が前記他の縦葺き屋根材の前記本体部に当たる状態で、前記縦葺き屋根材を前記屋根下地上に取り付けることを特徴とする屋根の施工方法。
【請求項５】
前記スペースは、前記吊子が収まる第一スペースと、前記第一スペースの側方に位置する第二スペースとを含み、
前記第二スペースに、前記屋根下地から上方に突出する部材が収まる状態で、前記縦葺き屋根材を前記屋根下地上に取り付けることを特徴とする請求項４に記載の屋根の施工方法。
【発明の詳細な説明】
【技術分野】
【０００１】
本発明は、屋根構造及び屋根の施工方法に関し、特に、吊子を用いて屋根下地上に取り付けられる縦葺き屋根材の屋根構造及び屋根の施工方法に関する。
【背景技術】
【０００２】
特許文献１には、従来の縦葺き屋根が開示されている。特許文献１記載の縦葺き屋根は、屋根の下地材に固定される吊子と、吊子の左右に配される溝板と、各溝板の上方に突出した側部と吊子との接続部分に被せられるキャップとを有する。
【０００３】
特許文献１記載の縦葺き屋根では、吊子に左右の溝板をそれぞれ嵌合させた後、吊子と左右の溝板との接続部分にキャップを被せることによって、左右の溝板同士を接続している。
【先行技術文献】
【特許文献】
【０００４】
【特許文献１】特開２０００−３２８７２８号公報
【発明の概要】
【発明が解決しようとする課題】
【０００５】
ところで、特許文献１記載の縦葺き屋根では、吊子への各溝板の取り付けとは別に、吊子と各溝板との接続部分へのキャップの取り付けが必要であった。
【０００６】
本発明は、部品点数を少なくできて、施工性を向上させることができる屋根構造及び屋根の施工方法を提案することを課題とする。
【課題を解決するための手段】
【０００８】
上記課題を解決するために本発明の屋根構造は、縦葺き屋根材とその左右方向に配される他の縦葺き屋根材とを、固定具と吊子を用いて屋根下地上に取り付けた屋根構造であって、前記縦葺き屋根材と前記他の縦葺き屋根材のそれぞれは、平板状の本体部と、前記本体部の左右方向の一端部に連続し、上方に突出し下方に開口するように溝状に折れ曲がったカバー部と、前記カバー部のうち前記本体部から離れた側の端部から前記本体部に向けて突出した被係止部とを備え、前記被係止部は、前記被係止部の左右方向の中央部に位置し、上方に突出するように折れ曲がった引っ掛け部と、前記引っ掛け部の左右に位置する二つの下端とを有し、前記カバー部は、前記屋根下地との間にスペースを形成し、前記吊子は、前記固定具が打ち込まれる固定部と、前記固定部の左右方向の一端部から延長した係止部とを備え、前記他の縦葺き屋根材は、前記他の縦葺き屋根材の前記本体部上に載せられた前記吊子の前記固定部と前記本体部とを貫通する前記固定具によって、前記屋根下地上に固定され、前記縦葺き屋根材は、前記他の縦葺き屋根材上に固定された前記吊子が前記縦葺き屋根材の前記スペースに収まり、前記吊子の前記係止部に前記縦葺き屋根材の前記被係止部が係止されて、前記被係止部が前記係止部によって下方に押されて前記被係止部の前記二つの下端が前記他の縦葺き屋根材の前記本体部に当たる状態で、前記屋根下地上に取り付けられることを特徴とする。
また、上記課題を解決するために本発明の他の屋根構造は、縦葺き屋根材とその左右方向に配される他の屋根材とを、固定具で打ち付けられる吊子を用いて屋根下地上に取り付けた屋根構造であって、前記屋根下地上には、前記縦葺き屋根材上に機能パネルを取り付けるための取付具が設置され、前記縦葺き屋根材は、板状の本体部と、前記本体部の左右方向の一端部に連続し、上方に突出し下方に開口するように溝状に折れ曲がったカバー部と、前記カバー部のうち前記本体部から離れた側の端部から前記本体部に向けて突出した被係止部とを備え、前記カバー部は、前記屋根下地との間にスペースを形成し、前記スペースは、前記吊子が収まる第一スペースと、前記第一スペースの側方に位置する第二スペースとを含み、前記吊子は、前記固定具で前記他の屋根材上に打ち付けられる固定部と、前記固定部の左右方向の一端部から延長した係止部とを備え、前記縦葺き屋根材は、前記他の屋根材上に固定された前記吊子が前記第一スペースに収まり、前記第二スペースに前記取付具が収まり、前記吊子の前記係止部に前記被係止部が係止される状態で、前記屋根下地上に取り付けられることを特徴とする。
【０００９】
また、上記課題を解決するために本発明の屋根の施工方法は、縦葺き屋根材とその左右方向に配される他の縦葺き屋根材とを、固定具と吊子を用いて屋根下地上に取り付ける屋根の施工方法であって、前記縦葺き屋根材と前記他の縦葺き屋根材のそれぞれは、平板状の本体部と、前記本体部の左右方向の一端部に連続し、上方に突出し下方に開口するように溝状に折れ曲がったカバー部と、前記カバー部のうち前記本体部から離れた側の端部から前記本体部に向けて突出した被係止部とを備え、前記被係止部は、前記被係止部の左右方向の中央部に位置し、上方に突出するように折れ曲がった引っ掛け部と、前記引っ掛け部の左右に位置する二つの下端とを有し、前記カバー部は、前記屋根下地との間にスペースを形成し、前記吊子は、前記固定具が打ち込まれる固定部と、前記固定部の左右方向の一端部から延長した係止部とを備え、前記他の縦葺き屋根材の前記本体部上に設置した前記吊子の前記固定部に前記固定具を打ち込み、前記固定具を前記本体部に貫通させて前記屋根下地へ打ち付けることで、前記他の縦葺き屋根材を前記屋根下地上に固定し、前記他の縦葺き屋根材上の前記吊子が前記縦葺き屋根材の前記スペースに収まり、前記吊子の前記係止部に前記縦葺き屋根材の前記被係止部が係止されて、前記被係止部が前記係止部によって下方に押されて前記被係止部の前記二つの下端が前記他の縦葺き屋根材の前記本体部に当たる状態で、前記縦葺き屋根材を前記屋根下地上に取り付けることを特徴とする。
【発明の効果】
【００１０】
本発明では、部品点数を少なくできて、施工性を向上させることができる。
【図面の簡単な説明】
【００１１】
【図１】本発明の第一実施形態の縦葺き屋根材を示す斜視図である。
【図２】同上の縦葺き屋根材を軒棟方向に垂直な面で切断した断面図である。
【図３】図３Ａ〜Ｄは本発明の第一実施形態の屋根構造の施工方法の一例を示す断面図である。
【図４】図４Ａ〜Ｃは同上の施工方法において、縦葺き屋根材を吊子に係止させる様子を示す断面図である。
【図５】同上の屋根構造が風による負圧を受けたときの様子を示す断面図である。
【図６】本発明の第二実施形態の屋根構造を示す断面図である。
【図７】本発明の第三実施形態の屋根構造を示す断面図である。
【発明を実施するための形態】
【００１２】
以下、本発明の実施形態について図を参照しながら説明する。
【００１３】
図１には、本発明の第一実施形態の縦葺き屋根材１が示されている。本実施形態の縦葺き屋根材１は、縦葺き用の屋根材である。縦葺き屋根材１は、図３Ｄに示す本発明の第一実施形態の屋根構造のように、ねじ等の固定具４で打ち付けられる吊子２を用いて、屋根下地３上に取り付けられる。
【００１４】
縦葺き屋根材１は、例えば、片流れ屋根に設置される。以下では、片流れ屋根の水上側を棟側とし、水下側を軒側とし、軒棟方向に対して直交し且つ片流れ屋根の屋根面に沿う方向を左右方向とし、片流れ屋根の屋根面に対して直交する方向を上下方向として、各構成について説明する。つまり、図１においては、矢印Ｘ１で示す方向が棟側であり、その反対方向が軒側であり、矢印Ｙ１で示す方向が右方向であり、その反対方向が左方向であり、矢印Ｚ１で示す方向が上方向であり、その反対方向が下方向である。
【００１５】
縦葺き屋根材１は、矩形板状の本体部１０と、上方に突出し下方に開口するように溝状に折れ曲がったカバー部１１と、被係止部１２と、水返し部１３とを備える。カバー部１１は、本体部１０の左右方向の一端部（本実施形態では左端部）に連続する。被係止部１２は、カバー部１１のうち本体部１０から離れた側の端部（本実施形態では左端部）から本体部１０に向けて突出している。水返し部１３は、本体部１０の左右方向の他端部（本実施形態では右端部）から上方（本実施形態では右上方向）に突出している。カバー部１１及び水返し部１３は、本体部１０の軒棟方向に亘って位置し、被係止部１２は、カバー部１１の軒棟方向に亘って位置する。つまり、縦葺き屋根材１は、軒棟方向に亘って、図２に示す断面形状を有する。
【００１６】
カバー部１１は、本体部１０の左端部から上方に突出する第一側板部１４と、第一側板部１４の上端部から左方向に突出する天板部１５と、天板部１５の左端部から下方に突出する第二側板部１６とを有する。第一側板部１４、天板部１５及び第二側板部１６はいずれも、矩形板状である。第一側板部１４と第二側板部１６とは、互いに略平行である。天板部１５は、本体部１０に対して略平行である。第二側板部１６の上下長さは、第一側板部１４の上下長さよりもやや短い。
【００１７】
カバー部１１は、図３Ｃに示すように、縦葺き屋根材１を屋根下地３上に載せた状態で、屋根下地３との間で吊子２が収められるスペースＳ１を形成する。スペースＳ１は、吊子２が収まる第一スペースＳ２と、第一スペースＳ２の側方（本実施形態では右方）に位置する第二スペースＳ３とを含む。第二スペースＳ３は、屋根下地３から上方に突出する部材（本実施形態では後述する瓦棒５０と心木５２とキャップ５３）を収めるための空間である。
【００１８】
被係止部１２は、図１及び図２に示すように、カバー部１１の第二側板部１６の下端部から右方向に突出している。被係止部１２は、その左右方向の中央部に、上方に突出するように折れ曲がった引掛け部１７を有する。そして、被係止部１２は、その先端部（右端部）が上側に折り返された形状となっている。被係止部１２は、先端側の下端１２０の高さ位置が、基部側の下端１２１の高さ位置よりもやや下方に位置するように設けられている。なお、被係止部１２は、その先端部（右端部）が折り返しされていない形状であってもよい。
【００１９】
縦葺き屋根材１は、例えば、矩形のシート状の金属板を、ロール成形機を用いて折り曲げ加工することで形成される。前記金属板は、溶融亜鉛アルミ合金めっき鋼板やカラー鋼板等である。前記金属板としては、例えば、左右幅が９１４ｍｍや１０００ｍｍや１０６０ｍｍのものが用いられる。また、前記金属板としては、例えば、厚みが０．３５ｍｍのものが用いられる。また、前記金属板としては、例えば、軒棟方向の長さが約１０ｍのものが用いられる。なお、前記金属板の左右幅や厚みや軒棟方向の長さは、上記のサイズに限定されない。
【００２０】
縦葺き屋根材１は、例えば、カバー部１１の左右幅Ｌ１が１００ｍｍ、本体部１０の左右方向の働き幅Ｌ２が２３０ｍｍ以上（図２では２３０ｍｍ）、縦葺き屋根材１全体の左右方向の働き幅Ｌ３が３３０ｍｍ以上（図２では３３０ｍｍ）となるように形成される。ここで、上記の左右方向の働き幅とは、屋根下地３上に取り付けた状態で上方に露出する部位の左右幅を意味する。そして、縦葺き屋根材１は、カバー部１１の上下長さＬ４が３１ｍｍ、被係止部１２の左右幅Ｌ５が１４ｍｍ、被係止部１２の引掛け部１７の上端から基部側の下端１２１までの上下長さＬ６が５ｍｍとなるように形成される。そして、縦葺き屋根材１は、被係止部１２の先端側の下端１２０が基部側の下端１２１よりも１ｍｍ下方に位置するように形成される。そして、縦葺き屋根材１は、軒棟方向の長さＬ７が、例えば、約１０ｍとなるように形成される。なお、縦葺き屋根材１の軒棟方向の長さＬ７は、搬送車にて搬送可能な範囲で適宜設定してもよいし、また、屋根下地３の軒棟方向の長さと略同じとなるように適宜設定してもよい。
【００２１】
なお、縦葺き屋根材１の各長さＬ１〜Ｌ６はそれぞれ、設置箇所に合わせて適宜設定可能である。また、縦葺き屋根材１の被係止部１２の基部側の下端１２１は、先端側の下端１２０よりも１ｍｍ以上、上方に位置していてもよい。
【００２２】
吊子２は、図３Ｂ〜Ｄ及び図４Ａ〜Ｃに示すように、固定具４で打ち付けられる矩形板状の固定部２０と、固定部２０の左右方向の一端部（本実施形態では左端部）から延長した係止部２１とを有する。吊子２は、例えば、縦葺き屋根材１よりも肉厚の鋼板で形成される。
【００２３】
固定部２０は、上下方向に貫通する挿通孔を有する。この挿通孔に、固定具４が打ち込まれる。固定部２０の下面には、シール部材６がブチルテープ等で貼り付けられている。シール部材６は、例えば、粘着性を有するパッキンである。
【００２４】
係止部２１は、縦葺き屋根材１の被係止部１２を係止可能な形状に形成されている。本実施形態では、係止部２１は、固定部２０の左端部から上方（本実施形態では左上方）に突出した立ち上がり片部２２と、立ち上がり片部２２の上端部から左方向に突出した抑え片部２３を有する。抑え片部２３は、左寄りの部分に、下方に突出するように折れ曲がった抜け止め部２４を有する。抑え片部２３は、抜け止め部２４よりも左側の部分が、左側ほど上方に位置するように傾斜している。
【００２５】
屋根下地３は、野地板３０と、その上面を覆うルーフィングとで構成される。ルーフィングは、フェルトにアスファルトをしみこませた防水材等である。なお、屋根下地３は、上面に防水処理が施された野地板３０のみで構成され、ルーフィングを有さないものであってもよい。
【００２６】
本実施形態では、屋根下地３上には、瓦棒葺き屋根５が設置されている。瓦棒葺き屋根５は、左右の端部に立ち上がった形状の瓦棒５０を有する溝板５１と、左右に並ぶ溝板５１の隣接する瓦棒５０間に配される心木５２と、左右に並ぶ溝板５１の隣接する瓦棒５０とその間の心木５２とを覆うキャップ５３とを有する。瓦棒葺き屋根５は、溝板５１、心木５２及びキャップ５３をそれぞれ複数有する。左右に並ぶ心木５２は、溝板５１の左右幅分だけ離れて位置する。なお、瓦棒葺き屋根５は、心木５２の代わりに通し吊子を有するものであってもよい。通し吊子は、軒棟方向に長尺なものであり、底板とその左右の端部から上方に突出した側板とを有する。また、瓦棒葺き屋根５は、上記の通し吊子や心木５２を有さず、左右に並ぶ溝板５１の隣接する瓦棒５０間に空きスペースを形成したものであってもよい。
【００２７】
続いて、本実施形態の屋根構造の施工方法の一例について説明する。
【００２８】
まず、左右に並ぶ２枚の溝板５１のうち左側の溝板５１上に、屋根材１００を載せる。ここで、屋根材１００は、縦葺き屋根材１と同じものであってもよいし、縦葺き屋根材１とは異なる他の形状のものであってもよい。屋根材１００は、縦葺き屋根材１の本体部１０と同形状の本体部１０１と、水返し部１３と同形状の水返し部１０２を少なくとも有する。
【００２９】
次いで、屋根材１００の本体部１０１上に、吊子２の固定部２０を載せる。このとき、吊子２の固定部２０は、本体部１０１の右端部上に載せる。次いで、固定部２０に上方から固定具４を打ち込んで、吊子２と屋根材１００とを、図３Ｂに示すように、溝板５１を介して屋根下地３上に固定する。
【００３０】
次いで、縦葺き屋根材１を、左右に並ぶ２枚の溝板５１のうち右側の溝板５１上に本体部１０が位置し、屋根材１００上に固定された吊子２と、左右に並ぶ２枚の溝板５１の隣接する２つの瓦棒５０とがカバー部１１の内側のスペースＳ１に収まるように、屋根下地３上に載せる。ここで、縦葺き屋根材１を、被係止部１２が屋根材１００上の吊子２の係止部２１の左側に距離を置いて位置するように、屋根下地３上に載せる。このとき、縦葺き屋根材１の被係止部１２は、先端側の下端１２０が屋根材１００に当たり、基部側の下端１２１が屋根材１００との間に上下方向に隙間を介して位置する。
【００３１】
次いで、図４Ａ〜Ｃに示すように、縦葺き屋根材１を右方向に移動させて、被係止部１２を、屋根材１００上の吊子２の係止部２１に係止させる。このとき、被係止部１２の引掛け部１７が係止部２１の抜け止め部２４を右側に乗り越えることで、被係止部１２が係止部２１に係止される。被係止部１２が係止部２１に係止された状態では、被係止部１２は、係止部２１の抑え片部２３によって下方に押されて、被係止部１２の基部側の下端１２１も屋根材１００に当たる。
【００３２】
次いで、図３Ｃに示すように、縦葺き屋根材１の本体部１０の右端部上に、他の吊子２の固定部２０を載せ、この固定部２０に上方から固定具４を打ち込んで、他の吊子２と縦葺き屋根材１とを、溝板５１を介して屋根下地３上に固定する。
【００３３】
次いで、同様の手順で、図３Ｄに示すように、他の縦葺き屋根材１を屋根下地３上に固定する。
【００３４】
上記の手順を繰り返すことで、瓦棒葺き屋根５上には、複数の縦葺き屋根材１が左右方向に並んで取り付けられる。このとき、瓦棒葺き屋根５の各瓦棒５０、各心木５２、及び各キャップ５３はそれぞれ、その上に設置された各縦葺き屋根材１のカバー部１１内の第二スペースＳ３に収められる。そして、各溝板５１は、縦葺き屋根材１や屋根材１００によって覆われる。また、各屋根材１，１００上に取り付けた吊子２はそれぞれ、その上に設置された各縦葺き屋根材１のカバー部１１内の第一スペースＳ２に収められる。
【００３５】
以上のように本実施形態の屋根構造では、縦葺き屋根材１が、瓦棒葺き屋根５を全体的に覆うように屋根下地３上に取り付けられる。したがって、本実施形態の縦葺き屋根材１は、瓦棒葺き屋根５の改修に用いることができる。また、本実施形態の縦葺き屋根材１は、瓦棒５０を覆うカバー部１１が、溝板５１上に載せる板状の本体部１０と一体に設けられているため、従来例のように別体に設けたものに比べて、部品点数を少なくでき、施工性が向上したものとなっている。
【００３６】
また、本実施形態の屋根構造では、強風のときなどに、図５の実線で示すように、カバー部１１の右端部が上方に浮き上がる場合がある。しかし、このとき、本実施形態の屋根構造では、吊子２の係止部２１の抜け止め部２４によって、縦葺き屋根材１の被係止部１２の引掛け部１７が抜け出ることが抑制される。また、本実施形態の屋根構造では、上方に浮き上がったカバー部１１の右端部は、自重により、元の位置へと戻ることができる。したがって、本実施形態の屋根構造は、強風に対する耐性を有するものとなっている。
【００３７】
また、本実施形態の縦葺き屋根材１は、右端部の水返し部１３が、上方に折れ曲がったシンプルな形状であるため、右端部をフラットに戻すことや下方に折り曲げることや切断することが簡単に行える。そのため、本実施形態の縦葺き屋根材１は、屋根下地３上のうち妻側の端部（右端部）の形状に合わせて切断したり、妻側の端部（右端部）を包むように下方に折り返したりすることが簡単に行える。
【００３８】
また、本実施形態の屋根構造では、被係止部１２が係止部２１に係止された状態で、被係止部１２の先端側の下端１２０と基部側の下端１２１がそれぞれ屋根材１００に当たり、被係止部１２と屋根材１００との間に減圧空間が形成される。これにより、本実施形態の屋根構造では、カバー部１１内のうち被係止部１２よりも右側の領域に雨水が浸入することが抑制される。また、本実施形態の屋根構造では、吊子２の固定部２０の下面に設けたシール部材６によって、屋根材１００や縦葺き屋根材１に打ち込まれた固定具４の周囲から屋根下地３へと雨水が浸入することも抑制できる。また、本実施形態の屋根構造では、水返し部１０２によって、雨水が水返し部１０２よりも右側の屋根下地３上へ至ることが抑制される。
【００３９】
なお、上述した本実施形態の屋根構造では、吊子２を本体部１０，１０１の右端部上に設置する例について説明したが、吊子２の設置位置は、縦葺き屋根材１のカバー部１１内に吊子２と瓦棒５０が収まる範囲で、適宜変更可能である。したがって、本実施形態の屋根構造では、縦葺き屋根材１とその左右に並ぶ屋根材１００とは、重ね代を変えて働き幅を調整することが可能である。
【００４０】
続いて、図６に示す本発明の第二実施形態の屋根構造について説明する。第二実施形態の屋根構造においても、第一実施形態と同様の縦葺き屋根材１が用いられる。なお、第二実施形態の屋根構造について、第一実施形態の屋根構造と同様の構成については図中に同じ符号を付けて、詳しい説明を省略する。
【００４１】
本実施形態の屋根構造では、屋根下地３上には瓦棒葺き屋根５が設置されておらず、縦葺き屋根材１上に機能パネル７を取り付けるための取付具８が、屋根下地３上に固定されている。機能パネル７は、太陽光発電パネル等である。
【００４２】
取付具８は、縦葺き屋根材１を介して機能パネル７を支持する天板部８０と、天板部８０の軒棟方向の端部からそれぞれ下方に延長された脚部８１と、各脚部８１の下端部から軒棟方向外側に延長された固定部８２とを有する。固定部８２には、上下方向に貫通する挿通孔が設けられており、この挿通孔には、固定部８２を屋根下地３に固定するねじ等の固定具８３が打ち込まれる。また、取付具８は、天板部８０の左右方向の端部からそれぞれ下方に延長された補強片８４を有する。天板部８０には、縦葺き屋根材１を介して機能パネル７が載置され、その上方からドリルねじ等の固定具９が打ち込まれ、これにより、機能パネル７は天板部８０に固定される。
【００４３】
取付具８は、機能パネル７の取付位置に合わせて、屋根下地３上に複数取り付けられる。例えば、取付具８は、機能パネル７の軒棟方向の両端部の下方となる箇所に、２つずつ左右方向に距離をおいて配置される。
【００４４】
本実施形態の屋根構造の施工方法は、上述した第一実施形態の屋根構造の施工方法と略同じであるため、詳しい説明を省略する。本実施形態の屋根構造の施工方法では、瓦棒５０ではなく取付具８に合わせて、屋根材１００，縦葺き屋根材１を設置する。また、本実施形態の屋根構造の施工方法では、溝板５１を介してではなく屋根下地３に直接、屋根材１００，縦葺き屋根材１を固定する。
【００４５】
本実施形態の屋根構造では、上面に複数の取付具８が固定された屋根下地３上に、複数の縦葺き屋根材１が左右方向に並んで取り付けられる。そして、複数の取付具８はそれぞれ、その上に設置された各縦葺き屋根材１のカバー部１１内の第二スペースＳ３に収められる。そして、複数の取付具８間の屋根下地３はそれぞれ、縦葺き屋根材１や屋根材１００によって覆われる。また、各屋根材１，１００の上に取り付けた吊子２はそれぞれ、その上に設置された各縦葺き屋根材１のカバー部１１内の第一スペースＳ２に収められる。
【００４６】
以上のように本実施形態の屋根構造では、上面に複数の取付具８が固定された屋根下地３を全体的に覆うように、縦葺き屋根材１が屋根下地３上に取り付けられる。したがって、本実施形態の縦葺き屋根材１は、機能パネル７の設置に対応した屋根材として用いることができる。また、本実施形態の縦葺き屋根材１は、取付具８を覆うカバー部１１が、屋根下地３上に載せる板状の本体部１０と一体に設けられているため、従来例のように別体に設けたものに比べて、部品点数を少なくでき、施工性が向上したものとなっている。
【００４７】
続いて、図７に示す本発明の第三実施形態の屋根構造について説明する。第三実施形態の屋根構造においても、第一実施形態と同様の縦葺き屋根材１が用いられる。なお、第三実施形態の屋根構造について、第一実施形態の屋根構造と同様の構成については図中に同じ符号を付けて、詳しい説明を省略する。
【００４８】
本実施形態の屋根構造では、屋根下地３上には上方に突出する部材（瓦棒５０や取付具８）が設置されていない。
【００４９】
本実施形態の屋根構造の施工方法は、上述した第一実施形態の屋根構造の施工方法と略同じであるため、詳しい説明を省略する。本実施形態の屋根構造の施工方法では、屋根材１００，縦葺き屋根材１は、屋根下地３の左右方向の縁に合わせる等して、屋根下地３上に固定する。また、本実施形態の屋根構造の施工方法では、溝板５１を介してではなく屋根下地３に直接、屋根材１００，縦葺き屋根材１を固定する。
【００５０】
本実施形態の屋根構造では、上面に上方に突出する部材が設置されていない屋根下地３上に、複数の縦葺き屋根材１が左右方向に並んで取り付けられる。屋根下地３は全体的に、縦葺き屋根材１や屋根材１００によって覆われる。各屋根材１，１００の上に取り付けた吊子２はそれぞれ、その上に設置された各縦葺き屋根材１のカバー部１１内の第一スペースＳ２に収められる。
【００５１】
本実施形態の屋根構造では、カバー部１１内の第二スペースＳ３は、屋根下地３のうち屋根材１００や縦葺き屋根材１の本体部１０で覆われていない箇所の乾燥用の通気スペースとして利用することができる。また、本実施形態の縦葺き屋根材１は、カバー部１１が、屋根下地３上に載せる板状の本体部１０と一体に設けられているため、従来例のように別体に設けたものに比べて、部品点数を少なくでき、施工性が向上したものとなっている。
【００５２】
また、本実施形態の屋根構造では、吊子２の設置位置は、縦葺き屋根材１のカバー部１１内に吊子２が収まる範囲で、左右方向に適宜変更可能である。したがって、本実施形態の屋根構造では、縦葺き屋根材１とその左右に並ぶ他の屋根材１００とは、第一実施形態の屋根構造に比べて、重ね代を大きく変えて働き幅を大きく調整することが可能である。
【００５３】
以上まとめると、本発明の縦葺き屋根材１は、上述した第一乃至第三実施形態の縦葺き屋根材１のように、下記の構成を備えることを特徴とする。
【００５４】
すなわち、本発明の縦葺き屋根材１は、係止部２１を有する吊子２を用いて、屋根下地３上に取り付けられる縦葺き屋根材１である。本発明の縦葺き屋根材１は、板状の本体部１０と、上方に突出し下方に開口するように溝状に折れ曲がったカバー部１１と、被係止部１２とを備える。カバー部１１は、本体部１０の左右方向の一端部に連続する。被係止部１２は、カバー部１１のうち本体部１０から離れた側の端部から本体部１０に向けて突出している。カバー部１１は、屋根下地３との間で吊子２が収まるスペースＳ１を形成し、被係止部１２は、吊子２の係止部２１に係止されるものである。
【００５５】
以上のように本発明の縦葺き屋根材１は、屋根下地３への取り付けに用いる吊子２が収められるカバー部１１が、板状の本体部１０と一体に設けられている。そのため、本発明の縦葺き屋根材１は、従来例のように別体に設けたものに比べて、部品点数を少なくでき、施工性が向上したものとなっている。
【００５６】
また、本発明の縦葺き屋根材１は、上述した第一及び第二実施形態の縦葺き屋根材１のように、上記の構成に加えて、更に下記の構成を備えることが好ましい。
【００５７】
すなわち、本発明の縦葺き屋根材１は、スペースＳ１が、吊子２が収まる第一スペースＳ２と、第一スペースＳ２の側方に位置する第二スペースＳ３とを含む。本発明の縦葺き屋根材１は、第二スペースＳ３に、屋根下地３から上方に突出する部材が収まる状態で、屋根下地３上に取り付けられるものである。
【００５８】
以上のような構成とすることで、本発明の縦葺き屋根材１は、上方に突出する部材が設置された屋根下地３上に取り付けることができ、汎用性の高いものとなっている。
【００５９】
また、本発明の屋根構造は、上述した第一乃至第三実施形態の屋根構造のように、下記の構成を備えることを特徴とする。
【００６０】
すなわち、本発明の屋根構造は、縦葺き屋根材１とその左右方向に配される他の屋根材１００とを、固定具４で打ち付けられる吊子２を用いて屋根下地３上に取り付けた屋根構造である。縦葺き屋根材１は、板状の本体部１０と、上方に突出し下方に開口するように溝状に折れ曲がったカバー部１１と、被係止部１２とを備える。カバー部１１は、本体部１０の左右方向の一端部に連続する。被係止部１２は、カバー部１１のうち本体部１０から離れた側の端部から本体部１０に向けて突出している。カバー部１１は、屋根下地３との間で吊子２が収まるスペースＳ１を形成するものである。吊子２は、固定具４で他の屋根材１００上に打ち付けられる固定部２０と、固定部２０の左右方向の一端部から延長した係止部２１とを備える。縦葺き屋根材１は、他の屋根材１００上に固定された吊子２がスペースＳ１に収まり、吊子２の係止部２１に被係止部１２が係止される状態で、屋根下地３上に取り付けられる。
【００６１】
以上のように本発明の屋根構造では、縦葺き屋根材１は、屋根下地３への取り付けに用いる吊子２が収められるカバー部１１が板状の本体部１０と一体に設けられたものである。そのため、本発明の屋根構造では、従来例のように別体に設けたものに比べて、部品点数を少なくできて、施工性が向上したものとなっている。
【００６２】
また、本発明の屋根構造は、上述した第一実施形態の屋根構造のように、上記の構成に加えて、更に下記の構成を備えることが好ましい。
【００６３】
すなわち、本発明の屋根構造は、屋根下地３上には、瓦棒葺き屋根５が設置され、スペースＳ１が、吊子２が収まる第一スペースＳ２と、第一スペースＳ２の側方に位置する第二スペースＳ３とを含む。本発明の屋根構造では、縦葺き屋根材１は、第二スペースＳ３に瓦棒葺き屋根５の瓦棒５０が収まる状態で、屋根下地３上に取り付けられる。
【００６４】
以上のように本発明の屋根構造は、縦葺き屋根材１が、瓦棒葺き屋根５が設置された屋根下地３上に取り付け可能なものであるため、瓦棒葺き屋根５の改修構造として好適に用いることができる。
【００６５】
あるいは、本発明の屋根構造は、上述した第二実施形態の屋根構造のように、上記の構成に加えて、更に下記の構成を備えることが好ましい。
【００６６】
すなわち、本発明の屋根構造は、屋根下地３上には、縦葺き屋根材１上に機能パネル７を取り付けるための取付具８が設置され、スペースＳ１は、吊子２が収まる第一スペースＳ２と、第一スペースＳ２の側方に位置する第二スペースＳ３とを含む。本発明の屋根構造では、縦葺き屋根材１は、第二スペースＳ３に取付具８が収まる状態で、屋根下地３上に取り付けられる。
【００６７】
以上のような構成とすることで、本発明の屋根構造では、縦葺き屋根材１が、機能パネル７を取り付けるための取付具８が設置された屋根下地３上に取り付け可能なものである。そのため、本発明の屋根構造は、太陽光発電パネル等の機能パネル７の設置に適した屋根構造として好適に用いることができる。
【００６８】
また、本発明の屋根の施工方法は、上述した第一乃至第三実施形態の屋根の施工方法のように、下記の構成を備えることを特徴とする。
【００６９】
すなわち、本発明の屋根の施工方法は、縦葺き屋根材１とその左右方向に配される他の屋根材１００とを、固定具４で打ち付けられる吊子２を用いて屋根下地３上に取り付ける屋根の施工方法である。縦葺き屋根材１は、板状の本体部１０と、上方に突出し下方に開口するように溝状に折れ曲がったカバー部１１と、被係止部１２とを備える。カバー部１１は、本体部１０の左右方向の一端部に連続する。被係止部１２は、カバー部１１のうち本体部１０から離れた側の端部から本体部１０に向けて突出している。カバー部１１は、屋根下地３との間で吊子２が収まるスペースＳ１を形成するものである。吊子２は、固定具４で他の屋根材１００上に打ち付けられる固定部２０と、固定部２０の左右方向の一端部から延長した係止部２１とを備える。本発明の屋根の施工方法では、他の屋根材１００上に設置した吊子２の固定部２０を固定具４で打ち付けて、他の屋根材１００を屋根下地３上に固定する。そして、本発明の屋根の施工方法では、他の屋根材１００上の吊子２がスペースＳ１に収まり、吊子２の係止部２１に被係止部１２が係止される状態で、縦葺き屋根材１を屋根下地３上に取り付ける。
【００７０】
以上のように本発明の屋根の施工方法では、縦葺き屋根材１として、屋根下地３への取り付けに用いる吊子２が収められるカバー部１１が、板状の本体部１０と一体に設けられたものを用いる。そのため、本発明の屋根の施工方法では、従来例のように別体に設けたものを用いる場合に比べて、部品点数を少なくできて、施工性が向上する。
【００７１】
また、本発明の屋根の施工方法は、上述した第一及び第二実施形態の屋根の施工方法のように、上記の構成に加えて、更に下記の構成を備えることが好ましい。
【００７２】
すなわち、本発明の屋根の施工方法では、スペースＳ１は、吊子２が収まる第一スペースＳ２と、第一スペースＳ２の側方に位置する第二スペースＳ３とを含む。本発明の屋根の施工方法では、第二スペースＳ３に、屋根下地３から上方に突出する部材が収まる状態で、縦葺き屋根材１を屋根下地３上に取り付ける。
【００７３】
以上のような構成とすることで、本発明の屋根の施工方法では、上方に突出する部材が設置された屋根下地３上に縦葺き屋根材１を取り付けることができ、汎用性の高い施工方法となっている。
【００７４】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００７５】
１      縦葺き屋根材
２      吊子
３      屋根下地
４      固定具
５      瓦棒葺き屋根
７      機能パネル
８      取付具
１０    本体部
１１    カバー部
１２    被係止部
２０    固定部
２１    係止部
５０    瓦棒
１００  他の屋根材
Ｓ１    スペース
Ｓ２    第一スペース
Ｓ３    第二スペース
【図１】
0006606324.tif 000002
【図２】
0006606324.tif 000003
【図３】
0006606324.tif 000004
【図４】
0006606324.tif 000005
【図５】
0006606324.tif 000006
【図６】
0006606324.tif 000007
【図７】
0006606324.tif 000008